(57)【要約】【課題】  ダスト投入口を開閉自在に閉止する前蓋と後蓋とからなる折れ蓋の施錠装置であって、閉止時に前蓋の下端面がダスト投入口の下端口縁部に突設している錠杆係止環に当接しないようにして施錠を可能にした蓋施錠装置を提供する。【解決手段】  ボックス本体１に開設しているダスト投入口２を前蓋3Aと後蓋3Bとからなる折れ蓋構造の蓋体３によって閉止するように構成したダストボックスにおいて、前蓋3Aの下端部を受止するダスト投入口２の下端口縁部に錠杆係止環５を突設している一方、この錠杆係止環５に対向して前蓋3Aの下端部に下向きに開口し、且つ、内部に錠杆係止棒８を固定しているＵ字状の切欠凹部６を設けてあり、閉蓋時に、錠杆係止環５を前蓋3Aの下端面に当接させることなく切欠凹部６内に受け入れて、錠杆係止環５と錠杆係止環８間を錠前９によって施錠するように構成している。【選択図】    図４
2010235299.tif 000002
【特許請求の範囲】
【請求項１】
ボックス本体の上面から前面上部に亘って設けているダスト投入口を、このダスト投入口の後端に上下回動自在に枢着している後蓋と、この後蓋の前端に回動自在に連結している前蓋とからなる蓋体によって開閉自在に閉止してなるダストボックスにおいて、ダスト投入口における前方に向かって開口しているダスト投入口部を上記前蓋によって開閉自在に閉止していると共にこの前蓋の下端部を受止する上記ダスト投入口部の下端口縁部に錠杆係止環を突設している一方、上記前蓋の下端部に下方に向かって開口し、且つ、その開口端から上記錠杆係止環を内部に受け入れ可能な幅を有する切欠凹部を設けていると共に、この切欠凹部の対向内側壁面間に、切欠凹部内に錠杆係止環を受け入れた際にこの錠杆係止環の上方側で錠杆係止環と対向する錠杆係止棒を固定し、これらの錠杆係止環と錠杆係止棒間を錠前の錠杆によって施錠するように構成していることを特徴とするダストボックスの蓋施錠装置。
【請求項２】
前蓋の下端部に設けている切欠凹部を下方に向かって開口したＵ字状の切欠凹部に形成している一方、錠杆係止環を半円環形状の係止環に形成して上記切欠凹部の対向側壁面間に固定している錠杆係止棒に対して平行に又は直交する方向に向けた状態で突設していることを特徴とする請求項１に記載のダストボックスの蓋施錠装置。
【発明の詳細な説明】
【技術分野】
【０００１】
本発明は、マンションや事務所、コンビニエンスストアなどに設置されるダストボックスにおいて、ダスト投入口を開閉する蓋の施錠装置に関するものである。
【背景技術】
【０００２】
廃品や塵芥などの廃棄物を回収するためのダストボックスとしては、ボックス本体の上端部に、前方に向かって斜め上方に開口した投入口を設けることにより、廃棄物の投入を容易に行えるようにした構造のものが広く採用されており、また、廃棄物の大きさに応じて、投入口を大きく、或いは、小さく開口させるように構成したダストボックスも知られている。
【０００３】
このように投入口を大小に開口させることができるように構成したダストボックスとしては、例えば、特許文献１に記載されているような蓋構造を有するダストボックスが開発されており、このダストボックスは、上面から前後面の上部にかけて大きく開口した投入口を設け、その投入口の前半部と後半部とをそれぞれ折り蓋によって開閉自在に閉止した構造を有している。投入口の前半部を覆う折り蓋と後半部を覆う折り蓋とは同じ構造を有しており、例えば、投入口の前半部を覆う折り蓋は、投入口の前半部における上端投入口部を覆う後蓋と、この上端投入口部の前端に連続して前方に向かって斜め上方に開口している前側傾斜投入口部を覆う前蓋とからなり、上記後蓋の後端を上端投入口における前後幅方向の中央部に蝶番により上下回動自在に取り付けると共にこの後蓋の前端に上記前蓋を上下回動自在に枢着した蓋構造としている。
【０００４】
さらに、夜間などにおいて、外部からの不法な投棄等を防止するために、蓋施錠装置が設けられている。この蓋施錠装置は上記特許文献１に記載されているように、前蓋の下端部の中央部に矩形状の孔を設ける一方、この前蓋の下端部を受止する上記前側傾斜投入口部の下端口縁部における上記矩形状の孔と重なり合う位置に半円環形状の錠杆係止環を突設し、前蓋と後蓋とからなる折り蓋によって投入口を閉止した際に、この錠杆係止環を前蓋に設けている上記矩形状の孔内に係合させて該孔から突出した錠杆係止環に錠前の錠杆を引っ掛けることにより施錠するように構成している。
【先行技術文献】
【特許文献】
【０００５】
【特許文献１】特開２００９−４６２９２号公報
【発明の概要】
【発明が解決しようとする課題】
【０００６】
しかしながら、上記のような蓋施錠装置を、ボックス本体の上端部に、前方に向かって斜め上方に開口した小さな投入口を開閉自在に閉止する一枚の蓋体に採用した場合には、蓋体を開放状態から下方に回動させて閉止すると、該蓋体の下端部に設けている矩形状の孔は常に一定の円弧状軌跡上を移動して投入口の下端縁部に突設している錠杆係止環に重ね合わせることができるが、上記のように前蓋と後蓋とを互いに折り畳み自在に枢着している折り蓋の場合には、前蓋と後蓋とを二つ折り状態に起立させて投入口を大きく開口させた状態から、後蓋を前方に向かって伏動させて上端投入口部を閉止させていくと、前蓋を人手により持ち上げない限りその前端両側縁部が投入口の両側縁部上を摺動しながら前側傾斜投入口部を閉止する方向に伏動することになる。
【０００７】
そうすると、前側傾斜投入口部を閉止する直前において、この前蓋の下端面の中央部が前側傾斜投入口部の下端口縁部の中央部に突設している上記錠杆係止環に衝突して前蓋の下端部の中央部に設けている矩形状の孔をこの錠杆係止環に係合させることができず、そのため、この閉止状態から人手によって前蓋を前方に持ち上げたのち、その矩形状孔を錠杆係止環に係合させる作業を行わなければならず、従って、閉止作業に手間を要するばかりでなく、前蓋の下端面が錠杆係止環に当接すると、その矩形状の孔の下端縁部が損傷したり折損する虞れがあると共に、錠杆係止環もその衝撃力によって下方に曲げられて施錠ができなくなる事態が発生するといった問題点があった。
【０００８】
さらに、ダスト投入口を開口させる際に、前蓋を上方に持ち上げて開放させようとしてもその矩形状の孔が錠杆係止環に引っかかって開放させることができず、一旦、前蓋を前方に向かって引き起こして矩形状の孔を錠杆係止環から離脱させ、しかるのち、上方に持ち上げて開放させる操作を行わなければならず、開閉操作が円滑に行えないといった問題点がある。
【０００９】
本発明はこのような問題点に鑑みてなされたもので、その目的とするところはダストボックスの投入口を開閉自在に閉止する前蓋と後蓋とからなる折れ蓋において、前蓋の端面を錠杆係止環に衝突させることなく簡単且つ確実に投入口を閉止させ、この状態にして施錠を行うことができると共にダスト投入口の開口操作も円滑に行うことができるダストボックスの蓋施錠装置を提供するにある。
【課題を解決するための手段】
【００１０】
上記目的を達成するために本発明のダストボックスの蓋施錠装置は、請求項１に記載したように、ボックス本体の上面から前面上部に亘って設けているダスト投入口を、このダスト投入口の後端に上下回動自在に枢着している後蓋と、この後蓋の前端に回動自在に連結している前蓋とからなる蓋体によって開閉自在に閉止してなるダストボックスにおいて、ダスト投入口における前方に向かって開口しているダスト投入口部を上記前蓋によって開閉自在に閉止していると共にこの前蓋の下端部を受止する上記ダスト投入口部の下端口縁部に錠杆係止環を突設している一方、上記前蓋の下端部に下方に向かって開口し、且つ、その開口端から上記錠杆係止環を内部に受け入れ可能な幅を有する切欠凹部を設けていると共に、この切欠凹部の対向内側壁面間に、切欠凹部内に錠杆係止環を受け入れた際にこの錠杆係止環の上方側で錠杆係止環と対向する錠杆係止棒を固定し、これらの錠杆係止環と錠杆係止棒間を錠前の錠杆によって施錠するように構成している。
【００１１】
このように構成したダストボックスの蓋施錠装置において、請求項２に係る発明は、前蓋の下端部に設けている切欠凹部を下方に向かって開口したＵ字状の切欠凹部に形成している一方、錠杆係止環を半円環形状の係止環に形成して上記切欠凹部の対向側壁面間に固定している錠杆係止棒に対して平行に又は直交する方向に向けた状態で突設していることを特徴とする。
【発明の効果】
【００１２】
請求項１に係る発明によれば、ダスト投入口を開閉自在に閉止する前蓋と後蓋とからなる折れ蓋を備えたダストボックスにおいて、前蓋によって開閉自在に閉止されるダスト投入口部の下端口縁部に錠杆係止環を突設している一方、上記前蓋の下端部に下方に向かって開口し、且つ、その開口端から上記錠杆係止環を内部に受け入れ可能な幅を有する切欠凹部を設けていると共に、この切欠凹部の対向内側壁面間に、切欠凹部内に錠杆係止環を受け入れた際にこの錠杆係止環の上方側で錠杆係止環と対向する錠杆係止棒を固定しているので、前蓋と後蓋とを二つ折り状態に起立させて投入口を大きく開口させた状態から、これらの前蓋と後蓋とを前方に向かって伏動させて投入口を閉止させた際に、前蓋の下端面を上記錠杆係止環に衝突させることなく、その下端部に設けている下向きに開口した上記切欠凹部内に錠杆係止環を受け入れさせることができ、従って、前蓋の下端面や錠杆係止環に損傷や折損等を生じさせることなく長期の使用に供することができると共に、投入口の閉止操作が簡単且つ確実に行える。
【００１３】
さらに、錠杆係止環は、前蓋の下端部を受止するダスト投入口部の下端口縁部に突設しているにもかかわらず、この錠杆係止環を前蓋の下端部に設けている下向き開口の切欠凹部内に受け入れるように構成しているので、前蓋の下端部を上記ダスト投入口部の下端口縁部上に全面的に密接、受止させることができてダスト投入口の閉止を隙間なく完全に行うことができる。その上、投入口を閉止した状態においては、上記切欠凹部の対向内側壁面間に固定している錠杆係止棒と切欠凹部内に位置した錠杆係止環とに錠前の錠杆を串だし状に懸け渡すことによって施錠も簡単且つ確実に行うことができる。
【００１４】
また、ダスト投入口を開口させる際に、前蓋を前方に向かって開口しているダスト投入口部の両側口縁部に沿って上方に持ち上げれば、錠杆係止環が切欠凹部の下端開口部から自然と離脱するので、蓋の開放操作も円滑に行うことができる。
【００１５】
なお、錠杆係止環の形状としては、請求項２に記載したように、半円環形状に形成しておくことが安全性の上からも好ましい。また、この錠杆係止環を上記切欠凹部の対向側壁面間に固定している錠杆係止棒に対して平行に対向させるように突設しておいてもよく、或いは、直交する方向に向けた状態で突設しておいてもよい。
【図面の簡単な説明】
【００１６】
【図１】ダスト投入口を開放した状態のダストボックスの簡略斜視図。
【図２】ダスト投入口を閉止した状態のダストボックスの簡略正面図。
【図３】その簡略縦断側面図。
【図４】施錠した状態のダストボックスの簡略斜視図。
【図５】その要部の縦断側面図。
【図６】その要部の斜視図。
【図７】前蓋によるダスト投入口部の閉止直前の状態を示す要部の正面図。
【図８】閉止した状態の要部の正面図。
【発明を実施するための形態】
【００１７】
次に、本発明の具体的な実施の形態を図面について説明すると、図１〜図３において、ダストボックスは合成樹脂製であって、ボックス本体１とこのボックス本体１に設けているダスト投入口２を開閉自在に閉止する蓋体３とを備えてなり、ボックス本体１は、矩形状の底面板1aの両側端縁に一定高さの両側面板1b、1bを設けていると共にこの底面板1aの前端縁と後端縁とにそれぞれ前面板1cと後面板1dとを一体に設けた矩形箱形状に形成されている。
【００１８】
このボックス本体１の上面板1eは、後端部を残して全面的に開放されていると共に上記前面板1aもその上部を開放してあり、これらの開放部によってボックス本体１の上面から前面上部に亘って連続した一定の開口幅を有する上記ダスト投入口２に形成している。さらに、このダスト投入口２の開口縁部４は、上面板1eと前面板1cの外面に対して上記蓋体３の厚みに相当する寸法でもって内方に向かって断面Ｌ字状に屈折して蓋体３の外周端部を受止する一定幅を有する開口縁部に形成されている。
【００１９】
上記蓋体３は上記ダスト投入口２における前面板1c側に設けた前方に向かって開口している前側のダスト投入口部2Aを開閉自在に閉止する前蓋3Aと、上面板1e側に設けた上方に向かって開口しているダスト投入口部2Bを閉止する後蓋3Bとからなり、前蓋3Aの上端と後蓋3Bの前端とを蝶番11によって山折れ状に折り畳み可能に枢着して折れ蓋構造に形成していると共に、後蓋3Bの後端をダスト投入口部2Bの後端に上下回動自在に枢着12している。    
【００２０】
これらの前後蓋3A、3Bは、その外周端にダスト投入口２の開口縁部４に向かって直角に屈折してなる一定高さの外周壁部3A1 、3B1 を一体に設けてあり、この外周壁部3A1 、3B1 の高さによって上述した蓋体３の厚みを形成していると共に、蓋体３によってダスト投入口２を閉止した状態においては、前蓋3Aの外周壁部3A1 における下端部3A1'は、前方に向かって開口しているダスト投入口部2Aの下端口縁部4A上に受止されるように構成している。
【００２１】
さらに、この前蓋3Aの下端部3A1'を受止するダスト投入口部2Aの下端口縁部4Aにおける一側部にＵ字状又は半円環状に湾曲した錠杆係止環５を突設している。この錠杆係止環５は、その両端脚杆部5a、5aを図３、図５に示すようにダスト投入口部2Aの下端口縁部4Aにおける一側部に前面側から貫通させて後面側で該脚杆部5a、5aの端部に設けているネジ部にナット体13を螺合させることにより、ダスト投入口部2Aの下端口縁部4Aに固着されている。なお、この錠杆係止環５は、必ずしもＵ字状や半円環形状に形成することなく、門形状や山形状等の適宜な形状に形成しておいてもよく、また、その両端脚杆部5a、5aを両側、即ち、水平線上に配して環部を上下方向に開口させた状態で固定しているが、両端脚杆部5a、5aを上下方向に配してその環部を水平方向に開口させた状態で固定しておいてもよい。
【００２２】
一方、上記前蓋3Aの下端部3A1'における一側部に、上記錠杆係止環５に対向させて下方に向かって開口し、且つ、この錠杆係止環５を内部に受け入れ可能な幅を有するＵ字状の切欠凹部６を形成している。具体的には、前蓋3Aの下端部3A1'の一側部における一定幅部分を切欠いて切欠凹部６の下端開口部6aを形成していると共に、この下端開口部6aの開口幅でもって前蓋3Aの一側下端部を上方に向かって一定深さだけＵ字状に切欠くことによって上記凹部６を形成してあり、さらに、この凹部６の周端縁に後方に向かって前蓋3Aの下端部3A1'と同一高さで且つ両側端がこの下端部3A1'の壁面と直角に連なった周壁部７を突設している。
【００２３】
また、この切欠凹部６の周壁部７における対向する側壁面の中央部間に錠杆係止棒８を架設状態に固定している。即ち、この錠杆係止棒８を水平にしてその両端部を切欠凹部６の上記対向する側壁面にそれぞれ固着している。この錠杆係止棒８は、蓋体３によってダスト投入口２を閉止して前蓋3Aの下端部3A1'が前側ダスト投入口部2Aの下端口縁部4A上に密接すると共にこの前蓋3Aの下端一側部に設けている上記切欠凹部６内に、前側ダスト投入口部2Aの下端口縁部4Aにおける一側部に突設した上記錠杆係止環５が受け入れられた際に、この錠杆係止環５の上方近傍位置で錠杆係止環５と上下に小間隔を存した状態で対向する位置に固定されてあり，これらの錠杆係止環５と錠杆係止棒８間を図４〜図６に示すように、南京錠等の錠前９のＵ字状の錠杆9aによって連結することにより、ダスト投入口２を閉止した蓋体３を施錠するように構成している。図中、10は、前蓋3Aの前面における下端中央部に凹設した手掛け部である。
【００２４】
このように構成したので、錠前９によって施錠していない状態においては、ダスト投入口２を閉止している蓋体３における前蓋3Aの下端部に設けている手掛け部10に手を引っかけてこの前蓋3Aを上方に持ち上げると、前蓋3Aの下端一側部に設けている上記切欠凹部６の下部内に収納されている上記錠杆係止環５が切欠凹部６の下端開口部6aから相対的に離脱して前蓋3Aの両側端部を前方に向かって開口しているダスト投入口部2Aの両側縁部4B、4B上で摺動させながら前側ダスト投入口部2Aを円滑に開放させることができる。
【００２５】
さらに、この前蓋3Aを上方に持ち上げるに従って、後蓋3Bがその後端枢着部12を支点として起立すると共に前蓋3Aと後蓋3Bとの蝶番11による枢着部が山折れ状に屈折してこれらの前後蓋3A、3Bを互いに二つ折り状に折り畳みながらダスト投入口２を開放していき、前蓋3Aの下端部3A1'を上向きに開口している上面側のダスト投入口部2Bの前端にまで持ち上げた状態においては、前方に向かって開口しているダスト投入口部2Aが全面的に開放された状態となり、さらに、前蓋3Aを上向きに開口している上記ダスト投入口部2Bの両側縁部上に沿って後方に向かって摺動させて図１に示すように、これらの前後蓋3A、3Bが重なり合う状態にまで折り畳むと共にこの状態で後蓋3Bを後方に傾動させれば、上面側のダスト投入口部2Bも全面的に開放させることができ、従って、ダスト投入口２を大きく開放させてボックス本体１内へのダストの投入が容易に行うことができる。
【００２６】
次いで、蓋体３によってダスト投入口２を閉止するには、前蓋3Aの下端部を人手により前方に向かって引き寄せると、後蓋3Bが前方に向かって起立すると共に前蓋3Aの下端部が上方に向かって開口しているダスト投入口部2Bの前端に達した時には、後蓋3Bが前方に傾斜した状態となって前蓋3Aを押し出す方向に付勢し、この状態にして前蓋3Aを手放すと、後蓋3Bが前方に向かって伏動して上面側のダスト投入口部2Bを閉止すると同時に、前蓋3Aが前方に向かって開口しているダスト投入口部2Aの両側縁部に沿って降下してこのダスト投入口部2Aを閉止する。
【００２７】
この際、前蓋3Aの下端部3A1'が図７に示すように、ダスト投入口部2Aの下端口縁部4A上にまで降下してこのダスト投入口部2Aを全面的に閉止する直前においてはダスト投入口部2Aの下端口縁部4Aの一側部に突設している錠杆係止環５に達するが、この錠杆係止環５に前蓋3Aの下端部3A1'が衝突することなく、該下端部3A1'の一側部に設けている上記切欠凹部６の下部内に錠杆係止環５を受け入れて、図８に示すように切欠凹部６に固定している錠杆係止棒８に対してこの錠杆係止棒８から下方に小間隔を存した状態で切欠凹部６内に収納することができる。なお、蓋体３によるダスト投入口２の閉止操作は、上記のように前蓋3Aを手前に引き寄せることなく、上方に持ち上げて後蓋3Bとの二つ折り状態を開放させながら前方に移動させたのち、下動させることによって行ってもよい。
【００２８】
こうして、蓋体３によってダスト投入口２を閉止したのち、錠前９の錠杆9aを錠杆係止環５内の空間部から錠杆係止棒８の上方空間部に串だし状に掛け渡した状態にして施錠することにより、これらの錠杆係止環５と錠杆係止棒８とを一体に連結して蓋体３の開放を行えないようにする。
【００２９】
なお、錠杆係止環５及び錠杆係止棒８をそれぞれダスト投入口部2Aの下端口縁部4Aの一側部と前蓋3Aの下端部3A1'の一側部に設けているが、他側部に設けておいても中央部に設けておいてもよく、要するに、互いに対向する位置に設けておけばよい。
【符号の説明】
【００３０】
１  ボックス本体
２  ダスト投入口
2A  前面側のダスト投入口部
2B  上面側のダスト投入口部
３  蓋体
3A  前蓋
3B  後蓋
４  開口縁部
５  錠杆係止環
６  切欠凹部
８  錠杆係止棒
【図１】
2010235299.tif 000003
【図２】
2010235299.tif 000004
【図３】
2010235299.tif 000005
【図４】
2010235299.tif 000006
【図５】
2010235299.tif 000007
【図６】
2010235299.tif 000008
【図７】
2010235299.tif 000009
【図８】
2010235299.tif 000010